(57)【特許請求の範囲】
【請求項１】
天井に吊り下げられる板金製の外箱を備え、この外箱内に送風機及び熱交換器を備え、この熱交換器のドレンを受けるための溝部を有する発泡スチロール製のドレンパンを当該外箱の下面に備え、前記外箱の壁面に、当該外箱を貫通し、加湿エレメントを外箱の内側に臨ませ、この加湿エレメントが前記溝部の外側の溝壁部よりも外側に位置するように気化式加湿器を取り付けた天井埋込形空気調和装置において、
前記加湿エレメントの下側に、ドレンを排出する樋部を設ける一方、この樋部を受け入れ、この樋部よりも外側の位置に壁面を有する収容凹部を前記ドレンパンに設けたことを特徴とする天井埋込形空気調和装置。
【請求項２】
前記ドレンパンの溝底に前記樋部の先端を臨ませたことを特徴とする請求項１記載の天井埋込形空気調和装置。
【発明の詳細な説明】
【０００１】
【発明の属する技術分野】
本発明は、天井に吊り下げられる板金製の外箱の壁面に気化式加湿器を備えた天井埋込形空気調和装置に関する。
【０００２】
【従来の技術】
一般に、２方向カセットや４方向カセット等と呼称される天井埋込形の空気調和装置であって、天井に吊り下げられる板金製の外箱を備え、この外箱内に送風機及び熱交換器を備え、この熱交換器のドレンを受ける発泡スチロール製のドレンパンを当該外箱の下面に備えた天井埋込形空気調和装置が知られている。
【０００３】
この種のものでは、板金製の外箱の外壁面に対し、気化式加湿器等のオプション品が取り付けられる場合がある。
【０００４】
【発明が解決しようとする課題】
この気化式加湿器は加湿エレメントを備え、この加湿エレメントに水を滴下させて、熱交換後の調和空気を加湿する構成を備える。
【０００５】
ところが、この種のものでは、加湿エレメントのドレンの処理が困難になる。このドレンの処理は、専用配管を設けるか、上述した発泡スチロール製のドレンパンに導くか、いずれかの方式によることになる。しかし、専用配管を設ける場合には、配管の施工に手間がかかるし、発泡スチロール製のドレンパンに導く場合には、ドレンを、加湿器からドレンパンに導くための樋が必要になり、この樋を設ける場合には、加湿器の取付時に、この樋がドレンパン又は熱交換器に接触し、これらを破損させる恐れがある。
【０００６】
そこで、本発明の目的は、加湿エレメントのドレンの処理を容易にした、天井埋込形空気調和装置を提供することにある。
【０００７】
【課題を解決するための手段】
請求項１記載の発明は、天井に吊り下げられる板金製の外箱を備え、この外箱内に送風機及び熱交換器を備え、この熱交換器のドレンを受けるための溝部を有する発泡スチロール製のドレンパンを当該外箱の下面に備え、前記外箱の壁面に、当該外箱を貫通し、加湿エレメントを外箱の内側に臨ませ、この加湿エレメントが前記溝部の外側の溝壁部よりも外側に位置するように気化式加湿器を取り付けた天井埋込形空気調和装置において、
前記加湿エレメントの下側に、ドレンを排出する樋部を設ける一方、この樋部を受け入れ、この樋部よりも外側の位置に壁面を有する収容凹部を前記ドレンパンに設けたことを特徴とする。
【０００８】
請求項２記載の発明は、請求項１記載のものにおいて、前記ドレンパンの溝底に前記樋部の先端を臨ませたことを特徴とする。
【０００９】
【発明の実施の形態】
以下、本発明の一実施形態を添付図面に従って説明する。
【００１０】
図１は、２つの空気吹出し口を備えた、一般的に、いわゆる２方向カセットと呼称される天井埋込型空気調和機を示している。１は箱形の室内機本体を示し、この室内機本体１には、送風機３、熱交換器５、発泡スチロール製のドレンパン７、図示を省略したドレンポンプ等の各種機器類が収納されている。
【００１１】
この室内機本体１は、被調和室の天井に複数本の吊りボルト（図示せず）を介して吊り下げられ、この室内機本体１の下側を向いた開口面には、化粧パネル９が重ね合わせて取り付けられている。
【００１２】
図２は、室内機本体１を示す分解斜視図である。
【００１３】
この室内機本体１は、板金製の外箱１１を有している。この外箱１１は、略コ字形に曲げられた外箱本体１１Ａと、この外箱本体１１Ａの両端に取り付けられた一対の端板１１Ｂとを備えて分割構成されている。この外箱１１の内側には断熱材１３が配置されている。この断熱材１３は、各端板１１Ｂに対応して配置された一対の発泡スチロール製の端部材１３Ａと、これら端部材１３Ａ間をつなぐ、例えばポリエチレン製のつなぎ部材１３Ｂとで分割構成されている。５は略Ｕ字形に形成された熱交換器、１５はドレンポンプである。
【００１４】
図３は、室内機本体１とドレンパン７とを示す分解斜視図である。
【００１５】
この室内機本体１が組み立てられた後、外箱１の開口内には、発泡スチロール製のドレンパン７が嵌合される。このドレンパン７の中央には、大きな吸込み開口７Ａが形成され、この開口７Ａの両側には、一対の細長い吹出し開口７Ｂが形成されている。すなわち、送風機３によって、吸込み開口７Ａを通じて吸い込まれた室内空気が、外箱１１の内側に配置された熱交換器５によって熱交換され、この熱交換された調和空気が、吸込み開口７Ａの両側に形成された一対の細長い吹出し開口７Ｂを通じて室内に吹き出される。
【００１６】
１７は板金製の補強金具であり、この補強金具１７は、ドレンパン７の吸込み開口７Ａの側縁部に宛われ、補強金具１７の両端が、ねじ１９を介して、外箱１１の端板１１Ｂの上縁部１１Ｃに固定されている。
【００１７】
この板金製の外箱１１は変形し、撓みやすい。そこで、外箱１１の略中央部に、外箱１１の外壁とドレンパン７の固定部間に掛け渡された、センター金具２１が設けられ、このセンター金具２１によって、外箱１１の天板１１Ｄの反り、及び外箱１１の中央部の開きが防止されている。
【００１８】
図４は、室内機本体１に送風機３を組み込む手順を示している。
【００１９】
この送風機３は、箱形に形成された板金製の仕切り板４１に固定され、この仕切り板４１は、複数本のビスを介して、室内機本体１（補強板１７）に固定されている。具体的には、この送風機３は中央部にモータ３１を配置し、このモータ３１の両側の出力軸に羽根車３２を備えて構成されている。この羽根車３２はファンケース３３によって囲われ、このファンケース３３は、上ケース３３Ａと下ケース３３Ｂとに上下２分割されている。
【００２０】
上ケース３３Ａの両側には、図４Ｂに示すように、フランジ３６が一体的に形成され、この上ケース３３Ａは、その一部３３Ｃを仕切り板４１の外に突出させて、該仕切り板４１の開口に装着され、このフランジ３６は、該フランジ３６にビスを通して仕切り板４１に固定されている。
【００２１】
この仕切り板４１は、図１に示すように、上述した外箱１１の内部を上下に仕切っており、仕切り板４１の下方には一次空間４１Ａが形成され、仕切り板４１の上方には二次空間４１Ｂが形成されている。
【００２２】
上ケース３３Ａは、フランジ３６を介して、仕切り板４１に固定されるため、仕切り板４１の強度が増大し、しかも一次空間４１Ａと二次空間４１Ｂとの間のシール性を向上させることができる。
【００２３】
上記送風機３は、空気吸込み口を仕切り板４１の下の一次空間４１Ａに臨ませ、空気吹き出し口を仕切り板４１の上の二次空間４１Ｂに臨ませ、上ケース３３Ａのフランジ３６よりも上に位置するファンケースの一部３３Ｃを仕切り板４１の上の二次空間４１Ｂに臨ませている。
【００２４】
上記構成では、図１を参照し、上ケース３３Ａのフランジ３６よりも上に位置するファンケースの一部３３Ｃを、仕切り板４１の開口を通じて、上の二次空間４１Ｂに臨ませているため、従来のように、外箱１１内に設置された仕切り板４１の下の一次空間４１Ａ内に、送風機３のファンケース３３のすべてを収容したものに比べて、その分だけ仕切り板４１の位置が低くなるため、従来とほぼ等価の風路を、外箱１１内に十分に確保した上で、当該外箱１１の高さ方向の寸法を低く抑えることができる。
【００２５】
従って、天井裏の高さが低いビル等の建物に対しても、その天井裏に簡単に設置することができる等の効果が得られる。
【００２６】
本実施形態では、図２に示すように、外箱１１の長手側に位置する外箱本体１１Ａの両壁面に、種々の形状をしたノックアウトホール５１〜５４が形成され、一つのノックアウトホール５２に、図５乃至図７に示すように、気化式加湿器５５が取り付けられている。
【００２７】
この気化式加湿器５５は給水部５５Ａと加湿エレメント５５Ｂと加湿エレメント５５Ｂのドレンを排出する樋部５５Ｃとを備える。給水部５５Ａは給水口５５Ｇを通じて給水される水を、減圧弁５５Ｈで減圧し、２連の電磁弁Ｉ，Ｊを経て、加湿エレメント５５Ｂに給水する。
【００２８】
この気化式加湿器５５を取り付ける場合、まず、ノックアウトホール５２を打ち抜き、ついで、その内側に位置するポリエチレン製のつなぎ部材１３Ｂを、ノックアウトホール５２と略同一形状に切り欠いて開口５６を形成する。そして、この切り欠いた開口５６に、図５〜図６に示す手順で、加湿エレメント５５Ｂが外箱１１の内側に臨むように取り付ける。
【００２９】
上記の構成では、この気化式加湿器５５が、ドレンを排出する上記樋部５５Ｃを備え、この樋部５５Ｃを受け入れる収容凹部７Ｃが、ドレンパン７に一体的に形成されている。このドレンパン７は、図６に示すように、熱交換器５の下面を受ける突部７Ｄと、この突部７Ｄよりも低い溝部７Ｅと、この溝部７Ｅを形成する溝壁部７Ｆとを備えて構成され、上述した収容凹部７Ｃは一方の溝壁部７Ｆに形成されている。一般的には、装置本体の小型化のため、溝壁部７Ｆと熱交換器５との間の隙間δ（図５）が小さく形成されるため、この気化式加湿器５５が樋部５５Ｃを備えた場合であっても、この樋部５５Ｃの先端を、ドレンパン７の溝底７Ｅに臨ませることが困難になる。
【００３０】
本実施形態では、樋部５５Ｃを受け入れる収容凹部７Ｃが、ドレンパン７に一体的に形成されているため、この樋部５５Ｃの先端をドレンパン７の溝底７Ｅに極めて簡単に臨ませることができる。この気化式加湿器５５は加湿エレメント５５Ｂを備え、給水部５５Ａからの給水を、この加湿エレメント５５Ｂに滴下させ、熱交換後の調和空気を加湿する構成を備えて構成される。上記構成では、樋部５５Ｃの先端が、ドレンパン７の溝底７Ｅに臨んでいるため、ドレンは、ドレンパン７の溝部７Ｅにほぼ確実に捕集される。
【００３１】
従って、加湿エレメント５５Ｂのドレン処理が容易になり、過度の水が熱交換器５に付着したり、多量の水がドレンパン７に滞留したりすることがなくなり、熱交換器５の保護が図れると共に、ドレンパン７の表面に被覆されたドレンシートの保護等を図ることができる。
【００３２】
上記構成では、ノックアウトホール５２の内側にポリエチレン製のつなぎ部材１３Ｂが位置するため、ノックアウトホール５２と略同一形状につなぎ部材１３Ｂを切り欠く場合、切り粉の発生が抑制される。従って、オプション品を取り付ける場合の切り粉の処理をほとんど必要としない。このつなぎ部材１３Ｂは、ポリエチレン製に限定されるものではなく、切り粉を抑制でき断熱性を有する部材であればいかなる部材であってもよい。
【００３３】
また、上記構成では、断熱材１３が、外箱１１の短手側に配置された一対の発泡スチロール製の端部材１３Ａと、外箱１１の長手側に配置されたつなぎ部材１３Ｂとで分割構成されているため、端部材１３Ａとつなぎ部材１３Ｂとを別々に梱包して搬送することができる。
【００３４】
端部材１３Ａは発泡スチロール製であって嵩が増すが、全体が箱形を呈した従来の発泡スチロール製の断熱材と比較し、これを積み重ねたとしても、嵩の増す率が格段に少なくなり、発泡スチロールの製造工場からアセンブリ工場に搬送する場合等の搬送効率を向上させることができる。
【００３５】
以上、一実施の形態に基づいて本発明を説明したが、本発明は、これに限定されるものでないことは明らかである。
【００３６】
【発明の効果】
本発明によれば、樋部を受け入れる収容凹部が、ドレンパンに形成されているため、この樋部の先端をドレンパンの溝部に簡単に臨ませることができる。これによると、ドレンは、ドレンパンの溝部にほぼ確実に捕集され、加湿エレメントのドレン処理が容易になり、過度の水が熱交換器に付着したり、多量の水がドレンパンに滞留したりすることがなくなり、熱交換器の保護が図れると共に、ドレンパンの表面に被覆されたドレンシートの保護等が図れる。
【図面の簡単な説明】
【図１】本発明による天井埋込形空気調和装置の一実施形態を示す断面図である。
【図２】空気調和機本体の分解斜視図である。
【図３】空気調和機本体とドレンパンの分解斜視図である。
【図４】空気調和機本体とドレンパンと送風機の分解斜視図である。
【図５】気化式加湿器の取付手順を示す図である。
【図６】気化式加湿器の取付状態を示す図である。
【図７】気化式加湿器の取付状態を示す図である。
【符号の説明】
１  室内機本体
３  送風機
５  熱交換器
７  ドレンパン
７Ｃ  収容凹部
１１  外箱
１１Ａ  外箱本体
１１Ｂ  端板
５５  気化式加湿器
５５Ａ  給水部
５５Ｂ  加湿エレメント
５５Ｃ  樋部
【図１】
0003889640.tif 000002
【図２】
0003889640.tif 000003
【図３】
0003889640.tif 000004
【図４】
0003889640.tif 000005
【図５】
0003889640.tif 000006
【図６】
0003889640.tif 000007
【図７】
0003889640.tif 000008